(57)【要約】【課題】キャビネットの振動を発生させずに低音での良好な音声出力特性を得て、かつ薄型化をすることのできるスピーカ装置、２チャンネルスピーカ装置を得る。【解決手段】このスピーカ装置１０においては、第１のスピーカユニット１１が、キャビネット１２における一側面である左側面１２１に設置されている。また、キャビネット１２の内部において、左側面１２１と平行に形成された内部スピーカ設置面１３１をその構成要素とするキャビネット内分割面１３が設けられている。第１のスピーカユニット１１は、音波を放射する放射面をキャビネット１２の外側（図１中左側）に向けて設置され、第２のスピーカユニット１４が、内部スピーカ設置面１３１において、その放射面を第１のスピーカユニット１１の放射面と反対側（図１中右側）に向けて設置される。【選択図】図１
2010063078.tif 000002
【特許請求の範囲】
【請求項１】
音波が放射される放射面及び該放射面と反対側にある背面を具備するスピーカユニットが複数個キャビネット中に設置されたスピーカ装置であって、
前記キャビネットの一面に設置され、放射面を前記キャビネットの外部に向けて設置された第１のスピーカユニットと、
前記キャビネット内において前記一面と平行に形成された内部スピーカ設置面に設置された第２のスピーカユニットと、を具備し、
前記キャビネット内において、前記第１のスピーカユニットの背面と、前記内部スピーカ設置面をその構成要素とするキャビネット内分割面と、を含む複数の面によって形成される第１の密封室が形成され、
前記第１のスピーカユニットの振動方向と前記第２のスピーカユニットの振動方向とが逆向きに設定されて動作することを特徴とするスピーカ装置。
【請求項２】
前記第１のスピーカユニットの共振周波数と、前記内部スピーカ設置面に設置された状態での前記第２のスピーカユニットの共振周波数が略同一に設定されたことを特徴とする請求項１に記載のスピーカ装置。
【請求項３】
前記内部スピーカ設置面において、前記第２のスピーカユニットは、前記第２のスピーカユニットの放射面が向く方向が前記第１のスピーカユニットの放射面が向く方向と逆向きになるべく設置されたことを特徴とする請求項１又は２に記載のスピーカ装置。
【請求項４】
前記一面は前記キャビネットの一側面であることを特徴とする請求項１から請求項３までのいずれか１項に記載のスピーカ装置。
【請求項５】
前記キャビネット内分割面を含み、かつ前記第１のスピーカユニットの背面を含まない複数の面によって、前記第１の密封室と隣接する第２の密封室が形成されたことを特徴とする請求項４に記載のスピーカ装置。
【請求項６】
前記第２の密封室を形成する複数の面には、前記キャビネットを構成し、かつ対向する２つの面が含まれ、
該対向する２つの面のそれぞれにおいて、パッシブラジエータが設置されたことを特徴とする請求項５に記載のスピーカ装置。
【請求項７】
前記対向する２つの面は前記キャビネットの前面と後面であることを特徴とする請求項６に記載のスピーカ装置。
【請求項８】
前記一面は前記キャビネットの前面であることを特徴とする請求項１から請求項３までのいずれか１項に記載のスピーカ装置。
【請求項９】
前記キャビネット内分割面を含み、かつ前記第１のスピーカユニットの背面を含まない複数の面によって、前記第１の密封室と隣接する第２の密封室が形成されたことを特徴とする請求項８に記載のスピーカ装置。
【請求項１０】
前記第２の密封室を形成する複数の面には、前記キャビネットを構成し、かつ対向する２つの面が含まれ、
該対向する２つの面のそれぞれにおいて、パッシブラジエータが設置されたことを特徴とする請求項９に記載のスピーカ装置。
【請求項１１】
前記対向する２つの面は前記前面と前記キャビネットの後面であることを特徴とする請求項１０に記載のスピーカ装置。
【請求項１２】
前記キャビネットにおける一方の側面を前記一側面として形成された請求項４から請求項７までのいずれか１項に記載のスピーカ装置と、前記キャビネットにおける他方の側面を前記一側面として形成された請求項４から請求項７までのいずれか１項に記載のスピーカ装置とが組み合わされて形成されたことを特徴とする２チャンネルスピーカ装置。
【請求項１３】
キャビネットにおける一方の側面を前記一側面として形成された請求項５に記載のスピーカ装置と、前記キャビネットにおける他方の側面を前記一側面として形成された請求項５に記載のスピーカ装置とが組み合わされて形成された２チャンネルスピーカ装置であって、
前記一方の側面を前記一側面として形成されたスピーカ装置における前記第２の密封室と、前記他方の側面を前記一側面として形成されたスピーカ装置における前記第２の密封室とが共通になるように形成されたことを特徴とする２チャンネルスピーカ装置。
【請求項１４】
前記共通にして形成された第２の密封室は、前記一方の側面を前記一側面として形成されたスピーカ装置における前記キャビネット内分割面と、前記他方の側面を前記一側面として形成されたスピーカ装置における前記キャビネット内分割面と、前記キャビネットを構成し、かつ対向する２つの面とに囲まれて形成され、
前記対向する２つの面のそれぞれにおいて、パッシブラジエータが設置されたことを特徴とする請求項１３に記載の２チャンネルスピーカ装置。
【請求項１５】
前記対向する２つの面は前記キャビネットの前面と後面であることを特徴とする請求項１４に記載の２チャンネルスピーカ装置。
【請求項１６】
請求項８から請求項１１までのいずれか１項に記載のスピーカ装置が、前記前面を共通にして左右に２つ組み合わされて形成されたことを特徴とする２チャンネルスピーカ装置。
【請求項１７】
前記２つのスピーカ装置における前記第２の密封室が共通になるように組み合わされて形成されたことを特徴とする請求項１６に記載の２チャンネルスピーカ装置。
【請求項１８】
前記第２の密封室は、前記一方のスピーカ装置における前記キャビネット内分割面と、前記他方のスピーカ装置における前記キャビネット内分割面と、前記キャビネットを構成し、かつ対向する２つの面とに囲まれて形成され、
前記対向する２つの面のそれぞれにおいて、パッシブラジエータが設置されたことを特徴とする請求項１７に記載の２チャンネルスピーカ装置。
【請求項１９】
前記対向する２つの面は前記前面と前記キャビネットの後面であることを特徴とする請求項１８に記載の２チャンネルスピーカ装置。
【請求項２０】
請求項３に記載のスピーカ装置において、
前記第１のスピーカユニットと前記第２のスピーカユニットとを同位相で駆動することを特徴とするスピーカ装置の駆動方法。
【請求項２１】
請求項１から請求項１１までのいずれか１項に記載のスピーカ装置において、
前記第１のスピーカユニットに入力させる駆動信号における高音域をカットした駆動信号を前記第２のスピーカユニットに入力させることを特徴とするスピーカ装置の駆動方法。
【発明の詳細な説明】
【技術分野】
【０００１】
本発明は、良好な音声出力特性が得られるスピーカ装置の構造、及びその駆動方法に関する。また、このスピーカ装置が組み合わせて構成された２チャンネルスピーカ装置に関する。
【背景技術】
【０００２】
各種のオーディオ機器においては、低音から高音に至るまでの広い範囲で良好な音声出力特性が要求され、特に低音域での出力特性を向上させるために、スピーカユニットをキャビネット中に適切に配置させたスピーカ装置が用いられる。こうしたスピーカ装置においては、低音から高音までの広い範囲での良好な音声出力特性が要求されるが、特に、スピーカ装置全体が小型化するに伴って、低音での良好な出力特性を得ることが難しくなっており、この点を改善するための技術が開発されている。
【０００３】
図１４は、非特許文献１に記載された構成の一例の断面図である。このダブル駆動型と呼ばれるスピーカ装置９１０においては、第１のスピーカユニット９１１は、キャビネット９１２の一側面である側面９１３に組み込まれている。第２のスピーカユニット９１４は、キャビネット９１２の内部に設けられたキャビネット内分割面９１５中に設けられている。キャビネット９１２中には、キャビネット内分割面９１５によって２つの密封室９１６（左側）、９１７（右側）が形成される。
【０００４】
この構造においては、第１のスピーカユニット９１１の放射面（図中左側の面）から左側に発せられた音声が主な音声出力となる。一方、第２のスピーカユニット９１４の放射面（図中左側の面）から発せられた音声によって発生した音圧は、密封室８１６を介して第１のスピーカユニット９１１の背面（図中右側の面）に伝わる。この際、第１のスピーカユニット９１１の共振周波数、Ｑ値等を、キャビネット９１２中に組み込まれた形での第２のスピーカユニット９１４の共振周波数、Ｑ値等と整合させれば、この音圧は、第１のスピーカユニット９１１の背面側に効率よく伝わり、その動作を促進させることができる。これにより、第１のスピーカユニット９１１における特に低音での出力特性、つまり低域再生限界を向上させることができる。
【０００５】
また、低音での出力特性を向上させるためには、低音での良好な出力特性を有し、音声信号は入力されずにスピーカユニットの発する音圧で駆動するパッシブラジエータを用いることも有効である。図１５は、これを用いたスピーカ装置９２０の断面図である。このスピーカ装置９２０においては、スピーカユニット９２１とパッシブラジエータ９２２とがキャビネット９２３を構成する同一の側面９２４に設置され、密封室９２５が構成される。この例においては、スピーカユニット９２１が密封室９２５において発生した音圧によってパッシブラジエータ９２２が動作し、パッシブラジエータ９２２はスピーカユニット９２１よりも低音で良好な出力特性をもつため、このスピーカ装置９２０から低音での良好な出力が得られる。ここで、低音での良好な出力特性を得るためには、パッシブラジエータ９２２の面積を充分大きくすることが必要である。
【０００６】
また、左右において独立した２チャンネル（Ｌ−ｃｈとＲ−ｃｈ）のスピーカユニットが用いられる場合もある。この２チャンネルスピーカ装置の一例の正面から見た透視図（ａ）及びそのＩ−Ｉ方向の断面図（ｂ）を図１６に示す。
【０００７】
図１６に示された２チャンネルスピーカ装置９３０においては、Ｌ−ｃｈ（左側）スピーカユニット９３１は、キャビネット９３２の１つの側面９３３に組み込まれ、Ｒ−ｃｈ（右側）スピーカユニット９３４はこの側面に対向する他の側面９３５に逆向きに組み込まれている。また、これらの側面と直交する前面９３６には、パッシブラジエータ９３７が組み込まれており、これらが設置された面を含む複数の面によって密封室９３８が形成されている。特にこの構成においては、音声は図１６（ａ）中の左右方向と前方（同図（ｂ）中の下側）に出力されるため、音波の広い放射特性が得られる。この構成においても、パッシブラジエータ９３７によって、特に低音での良好な音声出力特性が得られる。ここで、前記の通り、パッシブラジエータ９３７の面積は充分大きくすることが必要であるが、これはこのキャビネット９３２における前面９３６に設置され、これよりも面積の小さなスピーカユニット９３１、９３４を側面に設置している。従って、このスピーカ装置９３０を薄型化することができる。
【０００８】
従って、以上の図１４〜１６に示された構造のスピーカ装置等においては、低音での音声出力特性を良好に保つことができる。
【０００９】
ここで、これらにおける各構成要素（スピーカユニット、パッシブラジエータ）の振動する方向は各図における白矢印、黒矢印の方向となる。すなわち、各スピーカユニットが白矢印の方向に動いた場合、パッシブラジエータあるいは他のスピーカユニットはやはり白矢印の動きをする。黒矢印の場合も同様である。従って、例えば図１４の構成のスピーカ装置９１０において、第１のスピーカユニット９１１が白矢印の動きをする場合、キャビネット９１２においては、右側への動きが第１のスピーカユニット９１１と第２のスピーカユニット９１４で同時に起こるため、キャビネット９１２の振動が大きくなる。
【００１０】
図１５の構成のスピーカ装置９２０の場合には、同一の面に形成されたスピーカユニット９２１とパッシブラジエータ９２２とは逆向きの動きをするが、これらは同一の側面９２４における異なる箇所に形成されているため、スピーカユニット９２１の動作に際して、側面９２４は同図中の左右方向に傾く動きの振動をする。
【００１１】
また、図１６の構造の２チャンネルスピーカ装置９３０の場合には、一般にＬ−ｃｈスピーカユニット（左側）９３１とＲ−ｃｈスピーカユニット（右側）９３４の動きは一般的には独立であり、これらが逆相の動きをした場合（白矢印）には、やはり同様に振動が大きくなる。更に、この場合にはパッシブラジエータ９３７によって、同図（ｂ）中の下側、すなわち、前方向に向かう動きも加わり、この方向の振動も発生する。
【００１２】
すなわち、上記のいずれの構成を用いて低音での出力特性を向上させた場合においても、キャビネットにおいて振動が発生する。この振動はこれらのスピーカ装置が組み込まれた装置や外部の壁等を振動させ、結果として低音でのノイズを発生させるため、音声出力特性が損なわれる。従って、スピーカ装置における低音での出力特性を向上させると同時に、キャビネットに発生する振動を低減することも重要である。
【００１３】
このため、例えば、特許文献１には、２個づつのスピーカユニットとパッシブラジエータを組み合わせた構成の２チャンネルスピーカ装置が記載されている。図１７は、この２チャンネルスピーカ装置９４０の構成を示す断面図である。この２チャンネルスピーカ装置９４０は、これらを収納するキャビネット９４１の両側の側面９４２、９４３にそれぞれパッシブラジエータ９４４、９４５が埋め込まれている。キャビネット９４１の内部には側面９４２、９４３と平行にキャビネット内分割面９４６、９４７が形成されており、それぞれにＬ−ｃｈスピーカユニット９４８、Ｒ−ｃｈスピーカユニット９４９が設置されている。なお、側面９４２とキャビネット内分割面９４６との間、キャビネット内分割面９４６とキャビネット内分割面９４７との間、キャビネット内分割面９４７と側面９４３との間にはそれぞれ密封室９５０、９５１、９５２が形成されている。
【００１４】
この構造において、スピーカユニット９４８、９４９を同位相で駆動する、すなわち、これらに音声信号を同位相で入力させれば、これらが発生する振動は打ち消し合うため、キャビネット９４１の振動は大幅に低減される。従って、振動の発生による音質の劣化が抑制され、かつ、パッシブラジエータ９４４、９４５が用いられるため、低音での良好な出力特性が得られる。
【先行技術文献】
【非特許文献】
【００１５】
【非特許文献１】佐伯多門監修、「スピーカ＆エンクロージャ百科」、誠文堂新光社、１１８頁
【特許文献】
【００１６】
【特許文献１】特開平８−７９８７６号公報
【発明の概要】
【発明が解決しようとする課題】
【００１７】
しかしながら、液晶テレビジョン等のオーディオ機器は、ディスプレイが薄く、大画面である特徴を生かし、壁に掛けて使用される場合もある。こうした場合には、ディスプレイに対応して、スピーカ装置も薄型であることが要求される。これに対して、特許文献１に記載の技術においては、面積の大きなパッシブラジエータをスピーカユニットと平行にして側面に配置することが必要であるため、この２チャンネルスピーカ装置を薄型化することは困難であった。一方、前記の通り、図１６に示されたスピーカ装置９３０は薄型化には適しているものの、キャビネットの振動は大きくなる。
【００１８】
すなわち、従来の技術においては、キャビネットの振動を発生させずに低音での良好な音声出力特性を得て、かつ薄型化をすることのできるスピーカ装置、２チャンネルスピーカ装置を得ることは困難であった。
【００１９】
本発明は、斯かる問題点に鑑みてなされたものであり、上記問題点を解決する発明を提供することを目的とする。
【課題を解決するための手段】
【００２０】
本発明は、上記課題を解決すべく、以下に掲げる構成とした。
本発明のスピーカ装置は、音波が放射される放射面及び該放射面と反対側にある背面を具備するスピーカユニットが複数個キャビネット中に設置されたスピーカ装置であって、前記キャビネットの一面に設置され、放射面を前記キャビネットの外部に向けて設置された第１のスピーカユニットと、前記キャビネット内において前記一面と平行に形成された内部スピーカ設置面に設置された第２のスピーカユニットと、を具備し、前記キャビネット内において、前記第１のスピーカユニットの背面と、前記内部スピーカ設置面をその構成要素とするキャビネット内分割面と、を含む複数の面によって形成される第１の密封室が形成され、前記第１のスピーカユニットの振動方向と前記第２のスピーカユニットの振動方向とが逆向きに設定されて動作することを特徴とする。
本発明のスピーカ装置において、前記第１のスピーカユニットの共振周波数と、前記内部スピーカ設置面に設置された状態での前記第２のスピーカユニットの共振周波数が略同一に設定されたことを特徴とする。
本発明のスピーカ装置は、前記内部スピーカ設置面において、前記第２のスピーカユニットは、前記第２のスピーカユニットの放射面が向く方向が前記第１のスピーカユニットの放射面が向く方向と逆向きになるべく設置されたことを特徴とする。
本発明のスピーカ装置において、前記一面は前記キャビネットの一側面であることを特徴とする。
本発明のスピーカ装置において、前記キャビネット内分割面を含み、かつ前記第１のスピーカユニットの背面を含まない複数の面によって、前記第１の密封室と隣接する第２の密封室が形成されたことを特徴とする。
本発明のスピーカ装置において、前記第２の密封室を形成する複数の面には、前記キャビネットを構成し、かつ対向する２つの面が含まれ、該対向する２つの面のそれぞれにおいて、パッシブラジエータが設置されたことを特徴とする。
本発明のスピーカ装置において、前記対向する２つの面は前記キャビネットの前面と後面であることを特徴とする。
本発明のスピーカ装置において、前記一面は前記キャビネットの前面であることを特徴とする。
本発明のスピーカ装置において、前記キャビネット内分割面を含み、かつ前記第１のスピーカユニットの背面を含まない複数の面によって、前記第１の密封室と隣接する第２の密封室が形成されたことを特徴とする。
本発明のスピーカ装置において、前記第２の密封室を形成する複数の面には、前記キャビネットを構成し、かつ対向する２つの面が含まれ、該対向する２つの面のそれぞれにおいて、パッシブラジエータが設置されたことを特徴とする。
本発明のスピーカ装置において、前記対向する２つの面は前記前面と前記キャビネットの後面であることを特徴とする。
本発明の２チャンネルスピーカ装置は、前記キャビネットにおける一方の側面を前記一側面として形成された前記スピーカ装置と、前記キャビネットにおける他方の側面を前記一側面として形成された前記スピーカ装置とが組み合わされて形成されたことを特徴とする。
本発明の２チャンネルスピーカ装置は、キャビネットにおける一方の側面を前記一側面として形成された前記スピーカ装置と、前記キャビネットにおける他方の側面を前記一側面として形成された前記スピーカ装置とが組み合わされて形成された２チャンネルスピーカ装置であって、前記一方の側面を前記一側面として形成されたスピーカ装置における前記第２の密封室と、前記他方の側面を前記一側面として形成されたスピーカ装置における前記第２の密封室とが共通になるように形成されたことを特徴とする。
本発明の２チャンネルスピーカ装置において、前記共通にして形成された第２の密封室は、前記一方の側面を前記一側面として形成されたスピーカ装置における前記キャビネット内分割面と、前記他方の側面を前記一側面として形成されたスピーカ装置における前記キャビネット内分割面と、前記キャビネットを構成し、かつ対向する２つの面とに囲まれて形成され、前記対向する２つの面のそれぞれにおいて、パッシブラジエータが設置されたことを特徴とする。
本発明の２チャンネルスピーカ装置において、前記対向する２つの面は前記キャビネットの前面と後面であることを特徴とする。
本発明の２チャンネルスピーカ装置は、前記スピーカ装置が、前記前面を共通にして左右に２つ組み合わされて形成されたことを特徴とする。
本発明の２チャンネルスピーカ装置は、前記２つのスピーカ装置における前記第２の密封室が共通になるように組み合わされて形成されたことを特徴とする。
本発明の２チャンネルスピーカ装置において、前記第２の密封室は、前記一方のスピーカ装置における前記キャビネット内分割面と、前記他方のスピーカ装置における前記キャビネット内分割面と、前記キャビネットを構成し、かつ対向する２つの面とに囲まれて形成され、前記対向する２つの面のそれぞれにおいて、パッシブラジエータが設置されたことを特徴とする。
本発明の２チャンネルスピーカ装置において、前記対向する２つの面は前記前面と前記キャビネットの後面であることを特徴とする。
本発明のスピーカ装置の駆動方法は、前記スピーカ装置において、前記第１のスピーカユニットと前記第２のスピーカユニットとを同位相で駆動することを特徴とする。
本発明のスピーカ装置の駆動方法は、前記スピーカ装置において、前記第１のスピーカユニットに入力させる駆動信号における高音域をカットした駆動信号を前記第２のスピーカユニットに入力させることを特徴とする。
【発明の効果】
【００２１】
本発明は以上のように構成されているので、キャビネットの振動を発生させずに低音での良好な音声出力特性を得て、かつ薄型化をすることのできるスピーカ装置、２チャンネルスピーカ装置を得ることができる。
【図面の簡単な説明】
【００２２】
【図１】本発明の第１の実施の形態に係るスピーカ装置の正面からの透視図（ａ）及びその断面図（ｂ）である。
【図２】本発明の第１の実施の形態に係るスピーカ装置の変形例の正面からの透視図（ａ）及びその断面図（ｂ）である。
【図３】本発明の第２の実施の形態に係るスピーカ装置の正面からの透視図（ａ）及びその断面図（ｂ）である。
【図４】本発明の第３の実施の形態に係る２チャンネルスピーカ装置の正面からの透視図（ａ）及びその断面図（ｂ）である。
【図５】本発明の第３の実施の形態に係る２チャンネルスピーカ装置の変形例の断面図である。
【図６】本発明の第３の実施の形態に係る２チャンネルスピーカ装置の他の変形例の正面からの透視図（ａ）及びその断面図（ｂ）である。
【図７】本発明の第３の実施の形態に係る２チャンネルスピーカ装置の他の変形例の正面からの透視図（ａ）及びその断面図（ｂ）である。
【図８】本発明の第４の実施の形態に係るスピーカ装置の正面からの透視図（ａ）及びその断面図（ｂ）である。
【図９】本発明の第５の実施の形態に係るスピーカ装置の正面からの透視図（ａ）及びその断面図（ｂ）である。
【図１０】本発明の第５の実施の形態に係るスピーカ装置の変形例の正面からの透視図（ａ）及びその断面図（ｂ）である。
【図１１】本発明の第６の実施の形態に係る２チャンネルスピーカ装置の正面からの透視図（ａ）及びその断面図（ｂ）である。
【図１２】本発明の実施の形態に係るスピーカ装置において用いられる駆動方法の原理を示す図である。
【図１３】本発明の実施の形態に係る２チャンネルスピーカ装置を用いたテレビジョン受像機の構成の一例を示す図である。
【図１４】従来のスピーカ装置の一例の断面図である。
【図１５】従来のスピーカ装置の他の一例の断面図である。
【図１６】従来の２チャンネルスピーカ装置の一例の正面から見た透視図（ａ）及びその断面図（ｂ）である。
【図１７】従来の２チャンネルスピーカ装置の他の一例の断面図である。
【発明を実施するための形態】
【００２３】
以下、本発明を実施するための最良の形態となるスピーカ装置あるいは２チャンネルスピーカ装置について説明する。これらにおいては、２個のスピーカユニットが用いられ、これらが低音で良好な出力特性をするように配置され、かつ、これらがキャビネットに加える振動が相殺されるように配置される。また、これらが薄型化しやすい構成となっている。
【００２４】
（第１の実施の形態）
図１に、本発明の第１の実施の形態となるスピーカ装置１０の正面からの透視図（ａ）及びそのＡ−Ａ方向の断面図（ｂ）を示す。このスピーカ装置１０においては、第１のスピーカユニット１１が、キャビネット１２における一側面である左側面１２１に設置されている。また、キャビネット１２の内部において、左側面１２１と平行に形成された内部スピーカ設置面１３１をその構成要素とするキャビネット内分割面１３が設けられている。第１のスピーカユニット１１は、音波を放射する放射面をキャビネット１２の外側（図１中左側）に向けて設置され、第２のスピーカユニット１４が、内部スピーカ設置面１３１において、その放射面を第１のスピーカユニット１１の放射面と反対側（図１中右側）に向けて設置される。なお、各スピーカユニットにおける放射面と反対側の面を背面と呼称する。
【００２５】
以上の構成により、キャビネット内分割面１３と、第１のスピーカユニット１１の背面と、第２のスピーカユニット１４の放射面を含む複数の面によって第１の密封室１５が形成される。また、同時に、キャビネット内分割面１３（内部スピーカ設置面１３１：第２のスピーカユニット１４の背面）を含み、第１のスピーカユニット１１の背面を含まない複数の面によって、第１の密封室１５に隣接した第２の密封室１６が形成される。第２の密封室１６は、キャビネット内分割面１３と、キャビネット１２における底面１２２の一部、前面１２３の一部，後面１２４の一部に囲まれた直方体形状である。第１の密封室１５は、第１のスピーカユニット１１の背面が含まれる図１中左側の空間と、第２のスピーカユニット１４の放射面が含まれる図１中右側の空間が第２の密封室１６の上部の空間によって連結した形状となっている。
【００２６】
この構成においては、第１のスピーカユニット１１と第２のスピーカユニット１４には、同位相の音声信号が入力される、すなわち、これらは同位相で駆動される。従って、第１のスピーカユニット１１が図１中の白矢印の動きをした場合には、第２のスピーカユニット１４は白矢印の動きをし、黒矢印の場合も同様である。
【００２７】
また、第２のスピーカユニット１４の放射面と第１のスピーカユニット１１の背面の間には第１の密封室１５が形成されているため、第２のスピーカユニット１４によって発生した音圧は第１のスピーカユニット１１の背面に伝わる。この動作は、前記の非特許文献１に記載のスピーカ装置９１０（図１４）と同様である。すなわち、非特許文献１に記載されるように、第１のスピーカユニット１１の共振周波数、Ｑ値を、このキャビネット１２中に組み込まれた形での第２のスピーカユニット１４の共振周波数、Ｑ値と整合させることにより、第２のスピーカユニット１４によって発生した音圧は、第１のスピーカユニット１１の背面側に効率よく伝わり、その動作を促進させることができる。これにより、第１のスピーカユニット１１における特に低音での出力特性を向上させることができる。ここでは、キャビネット内分割面１３と、第１のスピーカユニット１１の背面と、を含む複数の面によってキャビネット１２内で第１の密封室１５が形成されるために、この効果が得られる。
【００２８】
この際、図１中に示されるように、２つの白矢印（あるいは黒矢印）の向きは互いに逆向きである。すなわち、第１のスピーカユニット１１が発生する振動の向きと第２のスピーカユニット１４の発生する振動の向きは互いに逆向きとなる。従って、これらがキャビネット１２に与える振動の向きは相殺される方向となり、キャビネット１２で発生する振動を低減することができる。ここでは、第１のスピーカユニット１１の設置された左側面１２１と、第２のスピーカユニット１４が設置された内部スピーカ設置面１３１とを平行の関係に設定したために、こうした動作を実現することができる。
【００２９】
従って、このスピーカ装置１０においては、低音での良好な出力特性が得られ、かつ、キャビネット１２で発生する振動を低減することができる。更に、このスピーカ装置１０においては、広い面積を必要とするパッシブラジエータを用いずに低音での良好な出力特性を得ている、従って、図１の構成において、その厚さ（図１（ｂ）中の上下方向の長さ）を小さくすることができ、スピーカ装置１０全体を薄型化することができる。しかも、この際の構成要素は、キャビネット１２と、２個のスピーカユニット１１、１４だけであるため単純であり、これを低コストで得ることができる。
【００３０】
なお、上記の例では、キャビネット内分割面１３を図１に示す形状とした。しかしながら、同様の効果を奏する他の形状のキャビネット内分割面も用いることができる。この場合、このキャビネット内分割面の一部である内部スピーカ設置面が、第１のスピーカユニットが設置された面と平行であり、かつ、キャビネット内において、キャビネット内分割面と、第１のスピーカユニットの背面とを含む複数の面によって形成される第１の密封室が形成される構成であればよい。
【００３１】
上記の構成において、内部スピーカ設置面１３１における第２のスピーカユニット１４の取付方向を図１の構成から逆転させてもよい。この構成を図１と同様に図２に示す。ただし、この場合には、第１のスピーカユニット１１と第２のスピーカユニット１４には、逆位相の音声信号が入力される、この場合、第１のスピーカユニット１１が図１中の白矢印の動きをした場合には、第２のスピーカユニット１４は白矢印の動きをし、黒矢印の場合も同様である。従って、前記と同様に、低音での出力特性を向上させ、かつキャビネット１２における振動を低減することができる。このように、このスピーカ装置１０においては、キャビネット１２の内部に内部スピーカ設置面１３１を設け、かつ内部スピーカ設置面１３１をその構成要素とするキャビネット内分割面１３を用いて第１の密封室１５が形成されるために、第２のスピーカユニット１４の取付方向をどちら側にしても、こうした動作が可能である。この構成においては、その取付方向の向きに関わらず、第２のスピーカユニット１４はキャビネット１２の内部に収容され、スピーカ装置１０の外形には影響がない。従って、この取付方向の向きは、適宜選択することが可能である。この点については、以下に説明する全ての実施の形態において共通である。
【００３２】
（第２の実施の形態）
第２の実施の形態に係るスピーカ装置は、第１の実施の形態に係るスピーカ装置１０に更に２個のパッシブラジエータを追加した構成である。
【００３３】
図３に、このスピーカ装置２０の正面からの透視図（ａ）及びそのＢ−Ｂ方向の断面図（ｂ）を示す。このスピーカ装置２０においては、第１のスピーカユニット２１が、キャビネット２２における一側面である左側面２２１に設置されている。また、キャビネット２２の内部において、左側面２２１と平行に形成された内部スピーカ設置面２３１をその構成要素とするキャビネット内分割面２３が設けられており、内部スピーカ設置面２３１には、第２のスピーカユニット２４が設置される。また、第１の実施の形態と同様に、底面２２２、キャビネット内分割面２３等によって第１の密封室２５、第２の密封室２６が形成される。上記の構成は、前記のスピーカ装置１０と同様であり、各構成要素のもたらす作用も同様である。すなわち、この構成により、低音での良好な出力特性が得られ、かつ、キャビネット２２で発生する振動を低減することができる。
【００３４】
この構成に加え、このスピーカ装置２０においては、キャビネット２２の前面２２３及び後面２２４の第２の密封室２６を形成する箇所に、それぞれパッシブラジエータ２７、２８が設置されている。パッシブラジエータ２７、２８は、第２のスピーカユニット２４の背面において第２の密封室２６において発生した音圧によって駆動され、特に低音での音質特性が良好な音声出力をする。この際、この動作に関わるのは第２の密封室２６だけであるため、第２のスピーカユニット２４が第１の密封室２５を介して第１のスピーカユニット２１に及ぼす作用に対しては影響を及ぼさない。
【００３５】
パッシブラジエータ２７、２８は第２のスピーカユニット２４の動作に応じて動作するため、図３中の白矢印、黒矢印に対応した動きをする。すなわち、パッシブラジエータ２７、２８がキャビネット２２に与える振動の向きは互いに逆向きとなるため、これらの動作によってキャビネット２２に発生する振動は相殺されて小さくなる。このため、パッシブラジエータ２７、２８としては同一仕様のものを用いることが好ましい。
【００３６】
第１の実施の形態に係るスピーカ装置１０においては、図１中で音声出力は主に第１のスピーカユニット１１によって左方向に発せられる。これに対して、このスピーカ装置２０においては、この左方向に加え、パッシブラジエータ２７によって前側（図３（ｂ）中の下側）及びパッシブラジエータ２８によって後側（図３（ｂ）中の上側）にも音声出力が発せられる。
【００３７】
従って、低音での良好な出力特性が得られ、かつ、キャビネット２２で発生する振動を低減することができると共に、第１の実施の形態よりも、広い範囲に音声を出力することができる。
【００３８】
また、図３の構成においては、面積の大きなパッシブラジエータ２７、２８は前面２２３、後面２２４に設置され、側面側には面積の小さな第１及び第２のスピーカユニット２１、２４が設置される。従って、このスピーカ装置２０を、第１の実施の形態の場合と同様に薄型化することができる。
【００３９】
なお、上記の例では、パッシブラジエータ２７、２８はそれぞれ前面２２３、後面２２４に設置されていたが、これ以外の構成においても、キャビネット２２及び第２の密封室２６を構成し、かつ対向する２つの面にこれらのパッシブラジエータがそれぞれ設置されていれば、同様の効果を奏することは明らかである。すなわち、これらのパッシブラジエータを設置する面は適宜設定できる。また、前面２２３及び後面２２４は左側面２２１及び右側面２２２と垂直の関係である必要もない。また、第２の密封室の形態も図３に記載されたものに限られない。キャビネット内分割面を含み、かつ第１のスピーカユニットの背面を含まない複数の面によって、第１の密封室と隣接して第２の密封室が形成された構成であればよい。
【００４０】
（第３の実施の形態）
第３の実施の形態に係る２チャンネルスピーカ装置は、１つのキャビネット中に、独立した左右２ｃｈのスピーカ装置が組み込まれた形態として構成される。各スピーカ装置は、それぞれが第１又は第２の実施の形態に係るスピーカ装置の構成を適用した構成を具備する。
【００４１】
図４に、この２チャンネルスピーカ装置３０の正面からの透視図（ａ）及びそのＣ−Ｃ方向の断面図（ｂ）を示す。この２チャンネルスピーカ装置３０においては、第１のＬ−ｃｈ（左側）スピーカユニット３１が、キャビネット３２における一側面である左側面３２１に設置されている。また、キャビネット３２の内部において、中心線５００よりも左側に、左側面３２１と平行に形成された左側内部スピーカ設置面３３１をその構成要素とするキャビネット内左側分割面３３が設けられる。左側内部スピーカ設置面３３１には、第２のＬ−ｃｈ（左側）スピーカユニット３４が設置される。また、第１、第２の実施の形態と同様に、底面３２２、キャビネット内左側分割面３３等によって、左側第１の密封室３５が形成される。以上の構成は、第１の実施の形態におけるスピーカ装置１０と同様であり、各構成要素のもたらす作用も同様である。すなわち、第１のＬ−ｃｈスピーカユニット３１から左側への低音での良好な出力特性が得られ、かつ、キャビネット２２で発生する振動を低減することができる。
【００４２】
この２チャンネルスピーカ装置３０は、中心線５００に対して左右対称の構成を有する。すなわち、第１のＲ−ｃｈ（右側）スピーカユニット３６が、キャビネット３２における一側面である右側面３２３に設置されている。また、キャビネット３２の内部において、中心線５００よりも右側に、右側面３２３と平行に形成された右側内部スピーカ設置面３７１をその構成要素とするキャビネット内右側分割面３７が設けられる。右側内部スピーカ設置面３７１には、第２のＲ−ｃｈ（右側）スピーカユニット３８が設置される。また、第１、第２の実施の形態、あるいは、この２チャンネルスピーカ装置３０における左側と同様に、底面３２２、キャビネット内右側分割面３７等によって、右側第１の密封室３９が形成される。以上の構成も、第１の実施の形態におけるスピーカ装置１０と同様であり、各構成要素のもたらす作用も同様である。すなわち、第１のＲ−ｃｈスピーカユニット３６から右側へも低音での良好な出力特性が得られ、かつ、キャビネット２２で発生する振動を低減することができる。
【００４３】
また、キャビネット内左側分割面３３、キャビネット内右側分割面３７、前面３２４、後面３２５等に囲まれた第２の密封室４０が形成される。この第２の密封室４０は、第１、第２の実施の形態における第２の密封室を、左側と右側とで共通として形成したものとなっている。また、前面３２４、後面３２５における第２の密封室４０が形成された箇所には、パッシブラジエータ４１、４２がそれぞれ設置される。
【００４４】
パッシブラジエータ４１、４２は、第２の密封室４０を通じて、第２のＬ−ｃｈスピーカユニット３４及び第２のＲ−ｃｈスピーカユニット３８の背面で発生した音圧によって動作する。パッシブラジエータ４１、４２の動作する方向は、図４（ｂ）に示されるように、互いに逆向きとなるため、キャビネット３２における振動は低減される。この動作は第２の実施の形態の場合と同様である。
【００４５】
すなわち、この２チャンネルスピーカ装置３０は、第２の実施の形態に係るスピーカ装置２０を左右対称にして組み合わせ、左側チャンネルと右側チャンネルの２つの独立した音声出力を行うことができる。この場合においても、第２の実施の形態に係るスピーカ装置２０と同様の効果が得られる。すなわち、低音での良好な出力特性が得られ、かつ、キャビネット３２で発生する振動を低減することができると共に、広い範囲に音波を放射することができる。かつ、この２チャンネルスピーカ装置３０を薄型化することができる。
【００４６】
この２チャンネルスピーカ装置３０の形態を適宜変更することができる。図５に、この２チャンネルスピーカ装置３０の変形例の一例の図４（ｂ）に対応した断面図を示す。この形態においては、キャビネット３２における前面３２４、後面３２５を屈曲させ、その屈曲角度を適宜設定することにより、第１のＬ−ｃｈスピーカユニット３１及び第１のＲ−ｃｈスピーカユニット３６が音波を放射する方向を、側方から前方にわたる方向にかけて自由に設定できる。従って、上記の特徴に加えて、音波が放射される方向を利用者にとって最適化することができる。特にこの構成は、中央部に広い第２の密封室４０を設けたことによって容易に実現できる。
【００４７】
また、この２チャンネルスピーカ装置３０の他の変形例として、図６に、パッシブラジエータを用いない場合の構成の一例の正面からの透視図（ａ）及びそのＤ−Ｄ方向の断面図（ｂ）を示す。この場合には、第１の実施の形態に係る構成のスピーカ装置が左右に形成された構成となっており、左側第２の密封室４０１、右側第２の密封室４０２がそれぞれ左右に独立に形成されている。また、左側第１の密封室３５を形成するために左側分離壁３３２が、右側第１の密封室３９を形成するために右側分離壁３７２が設置される。この場合には、前記の例よりも、左右のチャンネルの分離性が高くなる。
【００４８】
また、他の変形例として、図７に、パッシブラジエータを左右のスピーカ装置（チャンネル）において別々に用いる場合の構成の一例の正面からの透視図（ａ）及びそのＥ−Ｅ方向の断面図（ｂ）を示す。この場合には、第２の実施の形態に係る構成のスピーカ装置が左右に形成された構成となっており、前記と同様に左側及び右側第２の密封室４０１、４０２はそれぞれ左右に独立に形成されており、これに対応して左側にパッシブラジエータ４５、４６が、右側にパッシブラジエータ４７、４８が設置されている。この場合には、左右のチャンネルの分離性が高いことに加えて、前後方向にも良好な音質で低音の出力を行うことができる。
【００４９】
なお、第３の実施の形態に係る２チャンネルスピーカ装置においては、いずれも左右２チャンネルの音声出力を行う場合につき記載したが、３つ以上のチャンネルを用いた場合においても、同様に、第２の実施の形態に係る構成を適宜組み合わせて用いることができる。
【００５０】
また、第３の実施の形態に係る２チャンネルスピーカ装置においては、中心線５００に対して左右対称な構造を有していたが、上記の効果を大きく損なわない限りにおいて、若干の非対称性があってもよい。対向して設置されたパッシブラジエータ間における若干の差異があってもよい。
【００５１】
また、２つのパッシブラジエータは前面及び後面に設置する必要はなく、キャビネット及び第２の密封室を構成し、かつ対向する２つの面に設置されていれば、同様の効果を奏することは第２の実施の形態と同様である。
【００５２】
（第４の実施の形態）
上記の第１〜３の実施の形態に係るスピーカ装置においては、第１、第２のスピーカユニットがいずれも側面に設置されていた。しかしながら、より薄型化を図るためには、スピーカユニットを前面に設置することがより好ましい。この場合でも、同様の構成を用いて、振動を低減することができる。
【００５３】
図８に、本発明の第４の実施の形態に係るスピーカ装置５０の正面からの透視図（ａ）、及びそのＦ−Ｆ方向での断面図（ｂ）を示す。このスピーカ装置５０においては、第１のスピーカユニット５１が、キャビネット５２の前面５２１に設置されている。また、キャビネット５２の内部において、前面５２１と平行に形成された内部スピーカ設置面５３１をその構成要素とするキャビネット内分割面５３が設けられている。第１のスピーカユニット５１は、音波を放射する放射面をキャビネット５２の外側（図８（ｂ）中下側）に向けて設置され、第２のスピーカユニット５４が、内部スピーカ設置面５３１において、その放射面を第１のスピーカユニット５１の放射面と反対側（図８（ｂ）中上側）に向けて設置される。この構成においては、後面５２２、左側面５２３、右側面５２４にはスピーカユニットやパッシブラジエータは設置されない。
【００５４】
第１のスピーカユニット５１と第２のスピーカユニット５４には、同位相の音声信号が入力される。従って、第１のスピーカユニット５１が図７中の白矢印の動きをした場合には、第２のスピーカユニット５４は白矢印の動きをし、黒矢印の場合も同様である。これらは逆向きの動きであるため、第１の実施の形態と同様に、キャビネット５２で発生する振動を低減することができる。また、第１のスピーカユニット５１の共振周波数、Ｑ値を、このキャビネット５２中に組み込まれた形での第２のスピーカユニット５４の共振周波数、Ｑ値と整合させることが好ましいことも第１の実施の形態と同様である。この際、第２のスピーカユニット５４の取付方向を逆にしてかつ逆位相の音声信号を入力した場合でも同様の効果が得られることも第１の実施の形態と同様である。
【００５５】
また、この構成により、キャビネット内分割面５３と、前面５２１、後面５２２、左側面５２３を含む複数の面によって第１の密封室５５が形成されているため、第２のスピーカユニット５４によって発生した音圧は第１のスピーカユニット５１の背面に伝わる。従って、第１の実施の形態と同様に、第１のスピーカユニット５１における特に低音での出力特性を向上させることができる。
【００５６】
この構成においては、第１のスピーカユニット５１を前面５２１に設置し、第２のスピーカユニット５４をこれと平行かつ逆向きに設置するため、このスピーカユニット５０を特に薄型とすることができる。
【００５７】
（第５の実施の形態）
第５の実施の形態に係るスピーカ装置は、第４の実施の形態に係るスピーカ装置５０に更に２個のパッシブラジエータを追加した構成である。
【００５８】
図９に、このスピーカ装置６０の正面から見た透視図（ａ）、及びそのＧ−Ｇ方向での断面図（ｂ）を示す。このスピーカ装置６０においては、第１のスピーカユニット６１が、キャビネット６２における前面６２１に設置されている。また、キャビネット６２の内部において、前面６２１と平行に形成された内部スピーカ設置面６３１をその構成要素とするキャビネット内分割面６３が設けられており、内部スピーカ設置面６３１には、第２のスピーカユニット６４が設置される。また、第４の実施の形態と同様に、図９中の左側に、前面６２１、キャビネット内分割面６３、左側面６２３等によって第１の密封室６５が形成される。これらの構成は、前記のスピーカ装置５０と同様であり、各構成要素のもたらす作用も同様である。すなわち、この構成により、低音での良好な出力特性が得られ、かつ、キャビネット６２で発生する振動を低減することができる。
【００５９】
また、図９中の右側に、第１の密封室６５を形成しない箇所の前面６２１、第１の密封室６５を形成しない箇所の後面６２２、右側面６２４等によって第２の密封室６６が形成される。この第２の密封室６６を形成する箇所の前面６２１にパッシブラジエータ６７が、同じく後面６２２にパッシブラジエータ６８が設置されている。パッシブラジエータ６７、６８は、第２のスピーカユニット６４の背面において第２の密封室６６において発生した音圧によって駆動され、特に低音での音質特性が良好な音声出力をする。この際、この動作に関わるのは第２の密封室６６だけであるため、第２のスピーカユニット６４が第１の密封室６５を介して第１のスピーカユニット６１に及ぼす作用に対しては影響を及ぼさない。
【００６０】
第２の実施の形態と同様に、パッシブラジエータ６７、６８は第２のスピーカユニット６４の動作に応じて動作し、これによってキャビネット６２に発生する振動は相殺されて小さくなる。また、パッシブラジエータ６７、６８によって特に低音での良好な出力特性が得られる。一方で、第１のスピーカユニット６１及びパッシブラジエータ６７を前面６２１に、パッシブラジエータ６８を後面６２２に設置し、第２のスピーカユニット６４をこれらと平行かつ逆向きに内部スピーカ設置面６３１に設置するため、このスピーカユニット６０を特に薄型とすることができる。
【００６１】
また、このスピーカ装置６０を左右で独立して２つ設け、キャビネットを一体化させて２チャンネルスピーカ装置とすることができる。この際、前面を共通とすることができる。
【００６２】
なお、上記の例では、スピーカユニットとパッシブラジエータが音を放射する方向は共に水平方向（図９（ｂ）における上下方向）であるとしたが、これを異なる方向とすることもできる。この構成の一例を図９と同様に図１０に示す。この場合には、下面６２４、上面６２５にそれぞれパッシブラジエータ６７、６８が設置されている。この場合においても、第１のスピーカユニット６１による振動と第２のスピーカユニット６４による振動が互いに打ち消し合う方向となり、かつパッシブラジエータ６７、６８による振動が互いに打ち消し合う方向となるために、振動が低減される。かつ、パッシブラジエータ６７、６８によって低音での良好な出力特性が得られる。
【００６３】
すなわち、第１のスピーカユニットと第２のスピーカユニットが音を放射する方向は同一であり、かつ２つのパッシブラジエータが音を放射する方向はそれぞれ同一であることが必要であるが、これら２つのスピーカユニットが音を放射する方向とこれら２つのパッシブラジエータが音を放射する方向とは同一である必要はない。この点については第２、第３の実施の形態の場合も同様である。
【００６４】
また、この場合においても、キャビネット及び第２の密封室を構成し、かつ対向する２つの面に、これらの２つのパッシブラジエータが設置されていれば、同様の効果を奏することは第２の実施の形態と同様である。
【００６５】
（第６の実施の形態）
第６の実施の形態に係る２チャンネルスピーカ装置は、第５の実施の形態に係るスピーカ装置６０を２チャンネル化した構成である。
【００６６】
図１１に、この２チャンネルスピーカ装置７０の正面図（ａ）、及びそのＨ−Ｈ方向での断面図（ｂ）を示す。この２チャンネルスピーカ装置７０の図中左側においては、第１のＬ−ｃｈ（左側）スピーカユニット７１がキャビネット７２における前面７２１に設置される。キャビネット７２の内部において、第４の実施の形態と同様に、前面７２１と平行に形成された左側内部スピーカ設置面７３１をその構成要素とするキャビネット内左側分割面７３が設けられており、左側内部スピーカ設置面７３１には、第２のＬ−ｃｈ（左側）スピーカユニット７４が設置される。
【００６７】
また、この２チャンネルスピーカ装置７０の右側においても同様の構成が上記と対称の関係で構成される。すなわち、第１のＲ−ｃｈ（右側）スピーカユニット７５がキャビネット７２における前面７２１に設置される。キャビネット７２の内部において、前面７２１と平行に形成された右側内部スピーカ設置面７６１をその構成要素とするキャビネット内右側分割面７６が設けられており、右側内部スピーカ設置面７６１には、第２のＲ−ｃｈ（右側）スピーカユニット７７が設置される。
【００６８】
また、前面７２１、後面７２２、左側面７２３、及びキャビネット内左側分割面７３等によって左側第１の密封室７８が形成され、前面７２１、後面７２２、右側面７２４、及びキャビネット内右側分割面７６等によって右側第１の密封室７９がそれぞれ形成される。これらの構成は、前記のスピーカ装置５０と同様であり、各構成要素のもたらす作用も同様である。従って、この構成により、左側チャンネル、右側チャンネルのそれぞれにおいて、低音での良好な出力特性が得られ、かつ、キャビネット７２で発生する振動を低減することができる。
【００６９】
また、この２チャンネルスピーカ装置７０においては、第２の密封室８０が、前面７２１における左側第１の密封室７８、右側第１の密封室７９を形成しない箇所、後面７２２における左側第１の密封室７８、右側第１の密封室７９を形成しない箇所、キャビネット内左側分割面７３、キャビネット内右側分割面７６等によって形成される。第２の密封室８０においては、前面７２１、後面７２２に、それぞれパッシブラジエータ８１、８２が設置されている。パッシブラジエータ８１、８２の機能は第５の実施の形態の場合と同様であるが、図４の場合と同様に、これらのパッシブラジエータは、左右のチャンネルの出力を同時に行う。すなわち、この構成においては、第２の密封室８０及びパッシブラジエータ８１、８２が左右のチャンネルで共通とされている。この際、パッシブラジエータ８１、８２の発生する振動が打ち消し合うために、キャビネット７２で発生する振動を低減することができる。
【００７０】
図１１の記載においては、第１のＬ−ｃｈ（左側）スピーカユニット７１及び第２のＬ−ｃｈ（左側）スピーカユニット７４が音を放射する方向、第１のＲ−ｃｈ（右側）スピーカユニット７５及び第２のＲ−ｃｈ（右側）スピーカユニット７７が音を放射する方向、及びパッシブラジエータ８１、８２が音を放射する方向は全て水平方向（図１１（ｂ）における上下方向）であるとしたが、第５の実施の形態と同様に、これに限られるものではない。例えば、上記の例ではパッシブラジエータ８１、８２は前面７２１、後面７２２に設置したが、これらを第５の実施の形態（図１０）と同様に、下面及び上面にそれぞれ設置してもよい。これらの３種類の方向をそれぞれ異なる構成としても、上記の効果が得られることは明らかである。
【００７１】
この構成により、第１のＬ−ｃｈ（左側）スピーカユニット７１と第２のＬ−ｃｈ（左側）スピーカユニット７４は左右独立に音声を出力し、かつパッシブラジエータ８１、８２は左右のチャンネルにおいて出力される音声のうち特に低音での出力を行うことができる。また、この構成においては、キャビネット７２の側面方向に設置されるスピーカユニット、パッシブラジエータがないため、特にこの２チャンネルスピーカ装置７０を薄型化することができる。また、第２の密封室８０が左右のチャンネルで共通とされているため、その構造を単純化することができ、この２チャンネルスピーカ装置７０を小型化することができる。
【００７２】
（駆動方法）
以上では、スピーカ装置又は２チャンネルスピーカ装置について説明したが、これらの構造において共通に用いることのできる駆動方法について説明する。
【００７３】
まず、前記の通り、第１、第２、第４、第５の実施の形態に係るスピーカ装置においては、第１のスピーカユニットと第２のスピーカユニットにおける入力信号は同位相とする。これによって、振動を相殺することができ、かつ、良好な低音での出力特性を得ることができる。図４〜７、１１に記載の２チャンネルスピーカ装置においては、各チャンネルにおける２つのスピーカにおける入力信号を同位相とすることが好ましい。また、第２のスピーカユニットの取付位置をこれらと逆転させた場合には、入力信号を逆位相とすることが好ましい。
【００７４】
また、一般的には、パッシブラジエータは、特に低音の出力特性が良好である反面、高音での出力特性はこれに比較して劣る。更に、上記のスピーカ装置又は２チャンネルスピーカ装置において問題になるキャビネットの振動は、高周波のものよりも、主に低周波のものである。
【００７５】
特にこの点に着目して、第１のスピーカユニットと第２のスピーカユニットにおいて低周波成分の振動のみを相殺し、かつ、パッシブラジエータからは低音を重点的に出力させる構成とすることもできる。これにより、振動を少なく、かつ低音での良好な出力特性を実質的に得ることができる。具体的には、スピーカユニットを駆動する交流の駆動電圧の周波数特性を図１２（ａ）に示す特性Ａ（実線）と特性Ｂ（破線）の２通りとする。特性Ａは、低音域のみの出力を行い、特性Ｂは低音域から高音域までの広い音域での出力を行う特性である。すなわち、特性Ａは、特性Ｂにおける中高音域をカットした特性であり、これらの設定は、スピーカユニットの駆動信号に対してローパスフィルタ又はバンドパスフィルタを適宜用いることによって実現することができる。
【００７６】
ここで、一例として、第５の実施の形態に係るスピーカ装置を左右で独立のチャンネルとして備えた場合にこの駆動方法を適用した例について図１２（ｂ）に示す。直接外部に音声を出力する第１のスピーカユニット６１に対しては特性Ｂの信号を入力させ、パッシブラジエータ６７、６８を介して外部に音声を出力する第２のスピーカユニット６４に対しては特性Ａの信号を入力させる。この場合、どちらのスピーカユニットにも広域の同一信号（特性Ｂ）を入力させる場合と比べて、第２のスピーカユニット６４で高音域を出力させないために、効率が向上し、消費電力を抑制することができる。この際、高音域の出力は第１のスピーカユニット６１により、低音域の出力は第１のスピーカユニット６１及びパッシブラジエータ６７、６８によりなされ、特に問題となる低周波の振動も抑制される。すなわち、振動が低減され、低音での良好な出力特性を得ることができ、かつ消費電力を低減することができる。この際、前記の通り、第２のスピーカユニットの取付位置は逆転させることもでき、これに応じて第２のスピーカユニットの入力信号を同位相から逆位相とすればよい。
【００７７】
以上に説明したように、上記の第１〜６の実施の形態に係るスピーカ装置、２チャンネルスピーカ装置においては、低音での良好な音声出力特性が得られ、かつキャビネットの不要な振動を抑制することにより、良好な音質が得られる。また、これら自身を薄型化することができる。従って、このスピーカ装置等は、特に大画面の液晶テレビジョン受像機等に好ましく用いることができる。図１３は、この際の形態を示した図である。ここでは前記の２チャンネルスピーカ装置３０が、大画面の液晶ディスプレイ９０の下部に取り付けられ、音声を出力する。この場合、液晶ディスプレイ９０が薄型であることを生かして、例えば壁掛け式テレビジョン受像機として用いられることがある。こうした場合でも、本願発明に係るスピーカ装置が用いられる場合には、キャビネットに振動が発生しにくいため、壁が共鳴することがなく、良好な音質の音波が広く放射される。また、特に第３の実施の形態に係る２チャンネルスピーカ装置においては、音波の広い放射特性も得られる。また、特に第４〜６の実施の形態に係るスピーカ装置、２チャンネルスピーカ装置においては、薄型化、小型化も図れる。
【００７８】
その他、このスピーカ装置、２チャンネルスピーカ装置は、各種のオーディオ機器においても同様に用いることができ、同様の効果を奏する。
【符号の説明】
【００７９】
１０、２０、５０、６０、９１０、９２０  スピーカ装置
３０、７０、９３０、９４０  ２チャンネルスピーカ装置
１１、２１、５１、６１、９１１  第１のスピーカユニット
１２、２２、３２、５２、６２、７２、９１２、９２３、９３２、９４１  キャビネット
１３、２３、５３、６３、９１５、９４６、９４７  キャビネット内分割面
１４、２４、５４、６４、９１４  第２のスピーカユニット  
１５、２５、５５、６５  第１の密封室
１６、２６、４０、６６、８０  第２の密封室
２７，２８、４１、４２、４５、４６、４７、４８、６７、６８、８１、８２、９２２、９３７、９４４、９４５  パッシブラジエータ
３１、７１  第１のＬ−ｃｈ（左側）スピーカユニット
３３、７３  キャビネット内左側分割面
３４、７４  第２のＬ−ｃｈ（左側）スピーカユニット
３５、７８  左側第１の密封室
３６、７５  第１のＲ−ｃｈ（右側）スピーカユニット
３７、７６  キャビネット内右側分割面
３８、７７  第２のＲ−ｃｈ（右側）スピーカユニット
３９、７９  右側第１の密封室
９０  液晶ディスプレイ
１２１、２２１、３２１、５２３、６２３、７２３  左側面
１２２、２２２、３２２  底面
１２３、２２３、３２４、５２１、６２１、７２１、９３６  前面
１２４、２２４、３２５、５２２、６２２、７２２  後面
１３１、２３１、５３１、６３１  内部スピーカ設置面
３２３、５２４、６２４、７２４  右側面
３３１、７３１  左側内部スピーカ設置面
３３２  左側分離壁
３７１、７６１  右側内部スピーカ設置面
３７２  右側分離壁
４０１  左側第２の密封室
４０２  右側第２の密封室
５００  中心線
９１３、９２４、９３３、９３５、９４２、９４３  側面
９１６、９１７、９２５、９３８、９５０、９５１、９５２  密封室
９２１  スピーカユニット
９３１、９４８  Ｌ−ｃｈ（左側）スピーカユニット
９３４、９４９  Ｒ−ｃｈ（右側）スピーカユニット
【図１】
2010063078.tif 000003
【図２】
2010063078.tif 000004
【図３】
2010063078.tif 000005
【図４】
2010063078.tif 000006
【図５】
2010063078.tif 000007
【図６】
2010063078.tif 000008
【図７】
2010063078.tif 000009
【図８】
2010063078.tif 000010
【図９】
2010063078.tif 000011
【図１０】
2010063078.tif 000012
【図１１】
2010063078.tif 000013
【図１２】
2010063078.tif 000014
【図１３】
2010063078.tif 000015
【図１４】
2010063078.tif 000016
【図１５】
2010063078.tif 000017
【図１６】
2010063078.tif 000018
【図１７】
2010063078.tif 000019